【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
１つ以上のフレームを有する複数のストリームバーストを受信するために構成されるワイヤレス装置であって、
メモリと、
前記メモリと結合される少なくとも１つのプロセッサと、前記少なくとも１つのプロセッサは、
受信されたフレームのフレームサイズが前記メモリ内の利用可能メモリのサイズよりも小さいかどうかを決定することと、
各パケットと関連づけられるそれぞれのパケット識別子（ＰＩＤ）に基づいて第１の受信されたパケットの優先度及び少なくとも１つの第２の受信されたパケットの優先度を決定することと、
前記第１のパケットの前記優先度が前記第２のパケットの前記優先度よりも低いと決定されるとき前記第１のパケットの処理を打ち切ること及び前記第１のパケットへの前記メモリ内の利用可能メモリスペースの割り当てを解除することと、
前記第１のパケットの前記優先度が前記第２のパケットの前記優先度よりも低くないとき前記メモリ内の前記利用可能メモリスペースの前記サイズが前記決定されたフレームサイズと等しいか又はそれよりも大きくなるまで前記少なくとも１つのプロセッサ内の処理を停止することと、
前記第２のパケットのための前記フレームに前記メモリ内の前記利用可能メモリスペースを割り当てることと、
を行うように構成される、
を備える、装置。
【請求項２】
前記第２のパケットは、ｄｅｌｔａＴが次のバーストサイクルにおける同じエレメンタリストリーム（ＥＳ）内の次のフレームに対する現在のフレームの時間オフセットを表す前記ｄｅｌｔａＴ＿ｕｎｋｎｏｗｎのスロット状態を備え、前記ｄｅｌｔａＴ＿ｕｎｋｎｏｗｎ状態は、前記ｄｅｌｔａＴが前記第２のパケットに対してまだ知られていないことを示す、請求項１に記載のワイヤレス装置。
【請求項３】
前記第２のパケットは、ｄｅｌｔａＴ＿ｕｎｋｎｏｗｎのスロット状態を備える複数のパケットの中で最高の優先度を備える、請求項２に記載のワイヤレス装置。
【請求項４】
前記第１の及び第２のフレームは、マルチプロトコルカプセル化前方誤り訂正（ＭＰＥ−ＦＥＣ）フレームである、請求項１に記載のワイヤレス装置。
【請求項５】
前記少なくとも１つのプロセッサは、前記複数のストリームバースト内の第３のパケットを受信するために前記ワイヤレス装置内の受信機をいつウェークアップすべきかを決定するようにさらに構成される、請求項１に記載のワイヤレス装置。
【請求項６】
前記少なくとも１つのプロセッサは、前記第３のパケットの優先度が前記第２のパケットの前記優先度よりも高いかどうかを決定するように構成される、請求項５に記載のワイヤレス装置。
【請求項７】
前記少なくとも１つのプロセッサは、前記第３のパケットの前記優先度が前記第２のパケットの前記優先度よりも高い場合は前記第２のパケットのための前記メモリ内の前記利用可能メモリの割り当てを解除し、前記第３のパケットに前記利用可能メモリを割り当てるように構成される、請求項６に記載のワイヤレス装置。
【請求項８】
前記受信機は、デジタルビデオ放送ハンドヘルド（ＤＶＢ−Ｈ）受信機であり、前記フレームは、マルチプロトコルカプセル化前方誤り訂正（ＭＰＥ−ＦＥＣ）フレームである、請求項５に記載のワイヤレス装置。
【請求項９】
受信機内の複数のストリームバーストを受信するための方法であって、
受信されたフレームのフレームサイズが前記受信機内の利用可能メモリのサイズよりも小さいかどうかを決定することと、
受信された第１のパケットの優先度が各パケットと関連づけられるそれぞれのパケット識別子（ＰＩＤ）に基づいて第２の受信されたパケットの優先度よりも低いかどうかを決定することと、
前記第１のパケットの前記優先度が前記第２のパケットの前記優先度よりも低い場合は前記第１のパケットの処理を打ち切ること及び前記第１のパケットへの前記利用可能メモリの割り当てを解除することと、
前記第１のパケットの前記優先度が前記第２のパケットの前記優先度よりも低くない場合は前記利用可能メモリの前記サイズが前記フレームサイズと等しいか又はそれよりも大きくなるまで前記受信機内のフレームの処理を停止することと、
前記第２のパケットのための前記フレームに前記利用可能メモリを割り当てることと、
を備える、方法。
【請求項１０】
前記第２のパケットは、ｄｅｌｔａＴが次のバーストサイクルにおける同じエレメンタリストリーム（ＥＳ）内の次のフレームに対する現在のフレームの時間オフセットを表す前記ｄｅｌｔａＴ＿ｕｎｋｎｏｗｎのスロット状態を備え、前記ｄｅｌｔａＴ＿ｕｎｋｎｏｗｎ状態は、前記ｄｅｌｔａＴが前記第２のパケットに対してまだ知られていないことを示す、請求項９に記載の方法。
【請求項１１】
前記第２のパケットは、ｄｅｌｔａＴ＿ｕｎｋｎｏｗｎのスロット状態を備える複数のパケットの中で最高の優先度を備える、請求項１０に記載の方法。
【請求項１２】
前記第１の及び第２のフレームは、マルチプロトコルカプセル化前方誤り訂正（ＭＰＥ−ＦＥＣ）フレームである、請求項９に記載の方法。
【請求項１３】
前記複数のストリームバースト内の第３のパケットを受信するために前記受信機をウェークアップすることをさらに備える、請求項９に記載の方法。
【請求項１４】
前記第３のパケットの優先度が前記第３のパケットと関連づけられるＰＩＤに基づいて前記第２のパケットの前記優先度よりも高いかどうかを決定することをさらに備える、請求項１３に記載の方法。
【請求項１５】
前記第３のパケットの前記優先度が前記第２のパケットの前記優先度よりも高い場合は前記第２のパケットに割り当てられた前記利用可能メモリの割り当てを解除することと、前記第３のパケットに前記利用可能メモリを割り当てることとをさらに備える、請求項１４に記載の方法。
【請求項１６】
前記受信機は、デジタルビデオ放送ハンドヘルド（ＤＶＢ−Ｈ）受信機であり、前記フレームは、マルチプロトコルカプセル化前方誤り訂正（ＭＰＥ−ＦＥＣ）フレームである、請求項９に記載の方法。
【請求項１７】
複数のバーストストリームを受信するための装置であって、
前記複数のバーストストリーム内の受信されたパケットと関連づけられるパケット識別子（ＰＩＤ）を管理するために使用されるＰＩＤ管理テーブル内の記入項目の追加又は削除を実行するためのＰＩＤマネージャと、
前記ＰＩＤ管理テーブル内の前記ＰＩＤの前記追加又は前記削除を実行するために前記ＰＩＤマネージャに要求する要求メッセージを発行するためのプロトコルプロセッサと、
を備える、装置。
【請求項１８】
前記ＰＩＤ管理テーブルは、優先度情報、決定時間、フレームサイズのうちの少なくとも１つをパラメータとして前記要求メッセージ内の前記ＰＩＤと関連づける、請求項１７に記載の装置。
【請求項１９】
前記ＰＩＤマネージャは、前記要求メッセージ内の前記パケット識別子に前記パラメータとしてｄｅｌｔａＴ＿ｕｎｋｎｏｗｎのスロット状態を関連づけ、ここで、前記ｄｅｌｔａＴは、次のバーストサイクルにおける同じエレメンタリストリーム（ＥＳ）内の次のフレームに対する現在のフレームの時間オフセットを表し、前記ｄｅｌｔａＴ＿ｕｎｋｎｏｗｎ状態は、前記ｄｅｌｔａＴが前記第２のパケットに対してまだ知られていないことを示す、請求項１８に記載の装置。
【請求項２０】
前記ＰＩＤ管理テーブルは、前記ＰＩＤリストを備え、ここにおいて、前記リスト内の各ＰＩＤは、優先度情報、決定時間、フレームサイズ及びスロット状態パラメータと関連づけられる、請求項１７に記載の装置。
【請求項２１】
前記ＰＩＤマネージャは、前記パケット識別子のうちの１つを削除するためのメッセージが前記プロトコルプロセッサから受信される場合に前記ＰＩＤのうちの前記１つを前記ＰＩＤ管理テーブルから削除するように構成される、請求項１７に記載の装置。
【請求項２２】
前記ＰＩＤマネージャは、ＰＩＤ管理モジュール（ＰＭＭ）を備え、ここにおいて、前記ＰＭＭは、前記ＰＩＤをモニタするＰＩＤモニタリング状態と前記ＰＩＤを取得するＰＩＤ取得状態とを備える、請求項１７に記載の装置。
【請求項２３】
前記ＰＭＭは、前記ＰＩＤ管理テーブル内に記入項目が存在しない場合又は前記ＰＩＤ管理テーブル内の全ての前記記入項目が前記テーブル内の前記ＰＩＤと関連づけられるパラメータとしてｄｅｌｔａＴ＿ｋｎｏｗｎスロット状態を有する場合に前記ＰＩＤモニタリング状態になって前記ＰＩＤモニタリング状態を維持する、請求項２２に記載の装置。
【請求項２４】
前記ＰＭＭは、ＰＩＤ管理テーブル内の少なくとも１つの記入項目が前記テーブル内の前記ＰＩＤと関連づけられるパラメータとしてｄｅｌｔａＴ＿ｕｎｋｎｏｗｎスロット状態を有する場合に前記ＰＩＤ取得状態になる、請求項２２に記載の装置。
【請求項２５】
前記ＰＭＭは、新パケットを受信するためにウェークアップする時間であるときに前記新パケットに前記装置内の内部メモリを割り当てる割り当て要求を送信するようにさらに構成され、ここにおいて、前記新パケットは、前記ＰＩＤ管理テーブル内の前記パケット識別子のうちの１つと関連づけられる、請求項２２に記載の装置。
【請求項２６】
前記ＰＭＭは、前記ＰＩＤ管理テーブル内の前記ＰＩＤのうちの１つと関連づけられた旧パケットが受信されて処理された後に、前記旧パケットへの前記内部メモリの割り当てを解除する解除要求を送信する、請求項２５に記載の装置。
【請求項２７】
前記ＰＭＭは、前記ＰＩＤ管理テーブル内の前記ＰＩＤのうちの少なくとも１つの前記スロット状態が前記パラメータとしてｄｅｌｔａＴ＿ｕｎｋｎｏｗｎスロット状態に変化するときに前記ＰＩＤモニタリング状態から前記ＰＩＤ取得状態に移行するように構成される、請求項２２に記載の装置。
【請求項２８】
前記装置は、デジタルビデオ放送ハンドヘルド（ＤＶＢ−Ｈ）受信機を備え、前記フレームは、マルチプロトコルカプセル化前方誤り訂正（ＭＰＥ−ＦＥＣ）フレームである、請求項１８に記載の装置。